【手続補正書】
【提出日】平成26年1月17日(2014.1.17)
【手続補正１】
【補正対象書類名】明細書
【補正対象項目名】発明の名称
【補正方法】変更
【補正の内容】
【発明の名称】断層画像撮像方法および断層画像撮像装置
【手続補正２】
【補正対象書類名】明細書
【補正対象項目名】０００１
【補正方法】変更
【補正の内容】
【０００１】
本発明は、断層画像撮像方法及び断層画像撮像装置に関し、特に、眼科診療等に用いられる断層画像撮像方法及び断層画像撮像装置に関する。
【手続補正３】
【補正対象書類名】明細書
【補正対象項目名】０００６
【補正方法】変更
【補正の内容】
【０００６】
上記課題を解決してワーキングディスタンスの変化に依存しない断層画像を得るために、本発明に係る断層画像撮像方法は、被検眼と対物レンズとの第一の距離を調整し、測定光を被検眼に照射することで得られる被検眼の網膜からの戻り光と参照光との合波光により、被検眼の断層画像を取得する断層画像撮像方法であって、被検眼と対物レンズとが第一の距離である時の被検眼の第一の断層画像を取得する工程と、第一の距離に基づき、第一の断層画像の曲率を補正する工程と、を有することを特徴とする。
【手続補正４】
【補正対象書類名】特許請求の範囲
【補正対象項目名】全文
【補正方法】変更
【補正の内容】
【特許請求の範囲】
【請求項１】
被検眼と対物レンズとの第一の距離を調整し、測定光を前記被検眼に照射することで得られる前記被検眼の網膜からの戻り光と参照光との合波光により、前記被検眼の断層画像を取得する断層画像撮像方法であって、
前記被検眼と対物レンズとが前記第一の距離である時の前記被検眼の第一の断層画像を取得する工程と、
前記第一の距離に基づき、前記第一の断層画像の曲率を補正する工程と、
を有することを特徴とする断層画像撮像方法。
【請求項２】
計測した前記第一の距離に基づき、前記第一の断層画像の複数のライン状データの各々における補正量を計算する工程を更に有し、
前記補正量が、前記第一の距離、前記測定光を前記網膜の上で走査する際に前記網膜から見た前記走査の回転中心から前記網膜までの距離、前記網膜から見た前記測定光を走査する際の走査角、および前記参照光の光路長により決まるコヒーレンスゲート位置、を用いて行われることを特徴とする請求項１記載の断層画像撮像方法。
【請求項３】
前記測定光を走査するための異なる回転中心を各々有する２つのスキャナを更に有し、
前記第一の断層画像の曲率の補正は、各々の前記スキャナの前記回転中心の位置の違いに基づいて行われることを特徴とする請求項１または２記載の断層画像撮像方法。
【請求項４】
前記被検眼における前記網膜の湾曲を測定し且つ前記湾曲が所定の値よりも大きい場合に、前記被検眼と前記対物レンズとの前記第一の距離を、前記第一の距離よりも短い第二の距離に変更して、第二の断層画像を取得する工程を更に有することを特徴とする請求項１乃至３のいずれか１項記載の断層画像撮像方法。
【請求項５】
被検眼と対物レンズとの距離を調整し、測定光を前記被検眼に照射することで得られる前記被検眼からの戻り光と参照光との合波光により、前記被検眼の断層画像を取得する断層画像撮像方法であって、
前記被検眼と前記対物レンズとの前記距離を計測する工程と、
前記距離を用いて、前記被検眼の断層画像における所定の領域の曲率を計算する工程と、
計測された前記距離にもとすいて前記曲率を補正する工程と、
を有することを特徴とする断層画像撮像方法。
【請求項６】
前記領域が脈絡膜、色素上皮層、内節と外節の接合面、外境界膜、外顆粒層、外網状層、内顆粒層、内網状層、神経細胞層、神経線維層の層、およびそれらの境界のいずれかであることを特徴とする請求項５記載の断層画像撮像方法。
【請求項７】
前記曲率を計算する工程において、前記測定光の走査の回転中心から網膜までの距離、走査角、前記参照光の光路長により決まるコヒーレンスゲート位置、前記断層画像上の座標、断層画像の深さ方向のピクセル分解能を用いて前記曲率を計算することを特徴とする請求項５又は６に記載の断層画像撮像方法。
【請求項８】
前記測定光を走査するための異なる回転中心を各々有する２つのスキャナを更に有し、前記曲率を計算する工程において、各々の前記スキャナの前記回転中心の位置の違いを補正した後に、前記曲率を計算することを特徴とする請求項７に記載の断層画像撮像方法。
【請求項９】
前記曲率の計算方法が、少なくとも断層画像で深さの同じ２点とその垂直２等分線上の１点で構成される三角形の底辺と高さ、前記参照光の光路長で決まるコヒーレンスゲート位置の情報を用いて行うことを特徴とする請求項５乃至８のいずれか１項に記載の断層画像撮像方法。
【請求項１０】
前記曲率に基づく曲線を表示手段に表示させる工程を有することを特徴とする請求項５乃至９のいずれか１項に記載の断層画像撮像方法。
【請求項１１】
前記断層画像の複数の領域で計算された曲率をマップとして表示手段に表示させる工程を有することを特徴とする請求項５乃至９のいずれか１項に記載の断層画像撮像方法。
【請求項１２】
請求項１乃至１１のいずれか１項に記載の断層画像撮像方法の各工程をコンピュータに実行させることを特徴とするプログラム。
【請求項１３】
対物レンズを介して測定光を照射した被検眼からの戻り光と、該測定光に対応する参照光とを合波した合波光に基づいて該被検眼の断層画像を取得する断層画像撮像装置であって、
前記被検眼と前記対物レンズとが第一の距離である時の前記被検眼の第一の断層画像を取得する取得手段と、
前記第一の距離に基づいて、前記第一の断層画像の曲率を補正する補正手段と、
を有することを特徴とする断層画像撮像装置。
【請求項１４】
前記断層画像を生成するための複数のライン状のデータを取得して前記補正手段に前記ライン状データを送る分光器を更に有することを特徴とする請求項１３に記載の断層画像撮像装置。
【請求項１５】
前記対物レンズを移動させて前記第一の距離を調整する手段を更に有することを特徴とする請求項１３または１４に記載の断層画像撮像装置。
【請求項１６】
前記測定光を走査するための異なる回転中心を各々有する２つのスキャナを更に有し、
前記補正手段は、各々の前記スキャナの前記回転中心の位置の違いに基づいて前記第一の断層画像の前記曲率を補正することを特徴とする請求項１３乃至１５の何れか１項記載の断層画像撮像装置。
【請求項１７】
前記補正手段は、前記被検眼における前記網膜の湾曲を測定し且つ前記湾曲が所定の値よりも大きい場合に、前記被検眼と前記対物レンズとの前記第一の距離を短くして、前記断層画像を取得することを特徴とする請求項１３乃至１６のいずれか１項記載の断層画像撮像装置。
【請求項１８】
対物レンズを介して測定光を照射した被検眼からの戻り光と、該測定光に対応する参照光とを合波した合波光に基づいて該被検眼の網膜の断層画像を取得する断層画像撮像装置であって、
前記断層画像に対応する前記被検眼と前記対物レンズとの距離を取得する取得手段と、
前記距離に基づいて前記断層画像における網膜の曲率を計算する計算手段と、
前記距離に基づいて前記断層画像の曲率を補正する補正手段と、
を有することを特徴とする断層画像撮像装置。
【請求項１９】
前記断層画像から前記網膜の所定の層を含む領域を決定する決定手段を有し、
前記計算手段が、前記距離に基づいて前記領域における前記層の曲率を計算することを特徴とする請求項１８に記載の断層画像撮像装置。
【請求項２０】
前記曲率に基づく曲線を前記断層画像に重ねて表示手段に表示させる表示制御手段を更に有することを特徴とする請求項１８または１９に記載の断層画像撮像装置。
【請求項２１】
前記断層画像の複数の領域毎に計算された曲率をマップとして表示手段に表示させる表示制御手段を更に有することを特徴とする請求項１８乃至２０のいずれか１項に記載の断層画像撮像装置。
【請求項２２】
コンピュータを、請求項１３乃至２１のいずれか１項に記載の断層画像撮像装置の各手段として実行させることを特徴とするプログラム。